(57)【要約】【課題】  本発明は、室内、車内、家具等の清掃作業に使い勝手が良く、モップの交換が容易なハンディーモップに関するものである。【解決手段】  本発明のハンディーモップは、握り部、突起部、二股状部が一体に構成されている把手、および、モップと前記モップを取り付ける袋体が取り付けられている交換部とから少なくとも構成されている。前記把手の二股状部および突起部を前記袋体に入れている。前記把手は、握り部から先端に向かって互いに接する方向に二股に分かれている。また、前記把手は、合成樹脂のような弾性体から構成されており、先端において、長さが異なるようになっており、前記袋体に入れ易い形状になっている。前記把手は、前記握り部の下部に下方向に水平面を有し、前記水平面に、先端部方向と反対方向に曲がって突出する突起部を有する。【選択図】  図１
2013063154.tif 000002
【特許請求の範囲】
【請求項１】
握り部、前記握り部から先端に向かって互いに接するように二股に分かれているとともに、前記先端の長さが異なる二本の二股状部、前記握り部の下部に下方向で、先端部方向と反対方向に曲がった突起部がそれぞれ弾性体で一体に成形されている把手と、
撚り糸および／または不織布を多数束ねたモップと、
前記モップのほぼ中央部上に取り付けられ、前記長さの異なる二股部の一方づつを別々に入れるとともに、前記突起部を入れる開口部を有する袋体と、
前記袋体の長さ方向および前記モップの中央部において直角方向に固定するミシン目と、
前記モップおよび前記袋体が熱によって溶着されている溶着部と、
から少なくとも構成されており、前記把手の二股状部を前記袋体に入れ、前記突起部を袋体の開口部に係合していることを特徴とするハンディーモップ。
【請求項２】
前記二股状部は、互いに接する部分の幅が広く成形されていることを特徴とする請求項１に記載されたハンディーモップ。
【請求項３】
前記把手における長さの異なる二本の二股状部は、先端部において、互いに向き合って広がる方向に薄くなっていることを特徴とする請求項１または請求項２に記載されたハンディーモップ。
【請求項４】
前記袋体は、二枚の合成樹脂製シートが先端部で共に折り返された第１の折り返し部と、終端部で上部のシートのみが折り返された第２の折り返し部とから構成されていることを特徴とする請求項１から請求項３のいずれか１項に記載されたハンディーモップ。
【請求項５】
前記モップおよび袋体は、モップの繊維方向と直角方向のみに断続的に溶着されていることを特徴とする請求項１から請求項４のいずれか１項に記載されたハンディーモップ。
【発明の詳細な説明】
【技術分野】
【０００１】
本発明は、室内、車内、家具等の清掃作業に使い勝手の良いハンディーモップに関するものである。また、本発明は、モップ部分の交換が容易で、しかも、狭い部分の清掃においても、モップが把手から脱落することがないハンディーモップに関するものである。
【背景技術】
【０００２】
前記ハンディーモップは、室内、車内、あるいは家具等の細かな部分の清掃を行うのに都合が良いものであり、汚れたモップを交換することができるようにできている。
【０００３】
たとえば、特開２０１０−２６８９７３号公報に記載されているハンディーモップは、一対のモップ本体と、前記モップ本体の取付用隙間に挿入される一対の取付片と挿入体とを有する取付部と、前記取付部の挿入体が挿入される挿入空間を形成する保持側面を有する把持部とを備えている。把持部の保持側面に側面開口が形成され、前記取付部の挿入体に側面開口に係合する側面突起が設けられている。前記把持部の保持側面に、挿入空間に挿入体が挿入される際、挿入体の側面突起により押圧されて湾曲するバネ領域が形成されている。
【０００４】
また、特開２００５−１６１０５１号公報に記載されているハンドモップは、使用しない場合、把手を折り曲げることができ、不使用中に前記把手を折り曲げることにより、多くの空間を占有せずに、コンパクトにすることができる。
【先行技術文献】
【特許文献】
【０００５】
【特許文献１】特開２０１０−２６８９７３号公報
【特許文献２】特開２００５−１６１０５１号公報
【発明の概要】
【発明が解決しようとする課題】
【０００６】
前記ハンディーモップは、狭い部分を清掃する場合、モップ部分が引っ掛かり、把手から外れ易いという欠点があった。また同時に、前記ハンディーモップは、汚れたモップを交換し易い構造にする必要がある。
【０００７】
以上のような課題を解決するために、本発明は、狭い部分を清掃した場合であっても、モップが把手から外れ難く、汚くなったモップを容易に取り外すことができるハンディーモップを提供することを目的とする。
【課題を解決するための手段】
【０００８】
（第１発明）
第１発明のハンディーモップは、握り部、前記握り部から先端に向かって互いに接するように二股に分かれているとともに、前記先端の長さが異なる二本の二股状部、前記握り部の下部に下方向で、先端部方向と反対方向に曲がった突起部がそれぞれ弾性体で一体に成形されている把手と、撚り糸および／または不織布を多数束ねたモップと、前記モップのほぼ中央部上に取り付けられ、前記長さの異なる二股部の一方づつを別々に入れるとともに、前記突起部を入れる開口部を有する袋体と、前記袋体の長さ方向および前記モップの中央部において直角方向に固定するミシン目と、前記モップおよび前記袋体が熱によって溶着されている溶着部とから少なくとも構成されており、前記把手の二股状部を前記袋体に入れ、前記突起部を袋体の開口部に係合していることを特徴とする。
【０００９】
（第２発明）
第２発明のハンディーモップにおいて、前記二股状部は、互いに接する部分の幅が広く成形されていることを特徴とする。
【００１０】
（第３発明）
第３発明のハンディーモップにおいて、前記把手における長さの異なる二本の二股状部は、先端部において、互いに向き合って広がる方向に薄くなっていることを特徴とする。
【００１１】
（第４発明）
第４発明のハンディーモップにおいて、前記袋体は、二枚の合成樹脂製シートが先端部で共に折り返された第１の折り返し部と、終端部で上部のシートのみが折り返された第２の折り返し部とから構成されていることを特徴とする。
【００１２】
（第５発明）
第５発明のハンディーモップにおいて、前記モップおよび袋体は、モップの繊維方向と直角方向のみに断続的に溶着されていることを特徴とする。
【発明の効果】
【００１３】
本発明によれば、把手は、握り部から先端に向かって互いに接するように二股に分かれているため、水平面を有する袋体の中に入れる際に摩擦が生じることにより、抜け難いだけでなく、前記二股部が互いに接する方向に力が働くため、モップが互いに二つ折りの状態になる。
【００１４】
本発明によれば、水平面を有する袋体に弾性を有する二股状部を水平に捻じるように入れるため、最終的に垂直方向（袋に対して二つ折りになる方向）の力が働き、前記二股状部と袋体との間に摩擦が生じ、モップが清掃作業では抜け難く、交換の際に容易に取り外しができる。
【００１５】
本発明によれば、弾性体からなる把手の二股状部は、長さを変えるとともに、先端部を薄くしているため、捻じるようにして前記一つ一つを別々に袋体に挿入することが容易にできる。
【００１６】
本発明によれば、モップと袋体は、熱を加えて溶着されているため、容易に接着されるとともに、互いに離れることがない。
【００１７】
本発明によれば、袋体を二枚重ね、折り返しを工夫することで、袋部と底および開口部を同じ部材で容易に作製することができる。
【００１８】
本発明によれば、モップと袋体との接着は、熱溶着であるため、連続的に行わずに、一部を断続的に接着することで、作製時間を短縮することができる。
【図面の簡単な説明】
【００１９】
【図１】本発明の実施例であるハンディーモップの把手を説明するためのもので（イ）はハンディーモップにおける側面図、（ロ）は底面図、（ハ）は斜視図である。（実施例１）
【図２】（イ）は本発明の実施例を説明するためのものであり、モップと袋体の複数個が連続して設けられている状態を説明するための図で、（ロ）は１個の袋体の上面図、（ハ）は袋体を説明するための断面図である。
【図３】（イ）は本実施例において、モップに把手を挿入する状態を説明するための図、（ロ）は把手にモップが入った状態を説明するための図である。
【発明を実施するための形態】
【００２０】
（第１発明）
本発明のハンディーモップは、握り部、突起部、二股状部が一体に構成されている把手、および、モップと前記モップを取り付ける袋体が取り付けられている交換部（交換が可能なモップ部分）とから少なくとも構成されている。前記把手の二股状部および突起部を前記袋体に入れている。前記把手は、握り部から先端に向かって互いに接する方向に二股に分かれている。また、前記把手は、合成樹脂のような弾性体から構成されており、先端において、長さが異なるようになっており、前記袋体に入れ易い形状になっている。前記把手は、前記握り部の下部に下方向に水平面を有し、前記水平面に、先端部方向と反対方向に曲がって突出する突起部を有する。
【００２１】
前記モップは、合成樹脂または天然の糸を縒って集合体とした紐状のもの、あるいは不織布を紐または糸状にしたもの等を多数束ねたものであり、普通公知のものである。前記モップは、長さ方向の中央部において、袋体が直角方向に重ねられ、ミシン目によって固定され、前記糸または不織布等がバラケないように集合されている。前記袋体は、前記モップの中央部において、ミシン目により二つの袋体が前記二股状部を別々に入れることができるように隣合って水平に形成されている。
【００２２】
前記把手の二股状部は、長さの長い方から、一本ずつ水平方向に曲げる（広げる）ようにして前記それぞれの袋に入れられる。前記水平方向に曲げて入れられた二股状部は、材質の弾性により互いに接近する元の方向に力が加わることにより、水平方向のモップが互いに接近して折り曲げられる。また、前記把手に設けられた突起部は、前記袋体に設けられた開口部に入れられる。前記開口部に入った突起部は、狭い所を清掃する際に、前記モップが外れる方向の力が加わっても、簡単に外れない。前記突起部は、前記モップを交換する際に、前記袋体の開口部から外すか、あるいは強い力により破いて取り外すことが容易にできる。
【００２３】
前記モップおよび前記袋体は、たとえば、合成樹脂によって作製されているため、上部から熱を加えることにより溶着される。また、前記モップと袋体は、中央部がミシン目によって縫い付けられている。前記ハンディーモップは、必要に応じて、モップを所望の形状に刈り上げられる。
【００２４】
（第２発明）                                              
第２発明のハンディーモップにおける二股状部は、互いに接する部分の幅を広めに成形される。前記幅広の二股状部は、材質の弾性を利用して、水平方向に捻じるようにして、前記水平面となっている袋体に入れられる。前記二股状部は、水平な袋体に入れられた後、前記弾性により互いにモップを接近させる方向に移動し、所望の形状のモップができる。
【００２５】
（第３発明）
第３発明のハンディーモップにおける二股状部は、互いの長さを異なるようにするとともに、先端部を互いに向き合って広がる方向に薄くしている。前記薄くなっている先端部は、一つ一つを前記袋体に入れる場合、袋体の厚さ方向が薄くなっていても、挿入し易い形状になっている。
【００２６】
（第４発明）
第４発明のハンディーモップにおける袋体は、第１の折り返し部と第２の折り返し部を備えている。前記第１の折り返し部は、二枚の合成樹脂製シートが先端部で共に折り返され、前記合成樹脂製シートの間が有底の袋となっている。第２の折り返し部は、前記袋体の終端部（二股状部にとっては入口）において、重ねられている二枚の内、上部のシートのみが折り返されて合成樹脂製シートの袋体入口となって、二股状部が入り易い形状になっている。
【００２７】
（第５発明）
第５発明のハンディーモップにおけるモップおよび袋体は、モップの繊維方向と直角方向のみに断続的に溶着されている。前記溶着は、前記袋体が形成できれば、全面的に接着する必要がない。前記溶着は、モップの繊維および袋体を溶かす関係上、時間がかかる。前記溶着は、断続的であるため、作製に時間がかからないという効果を有する。
【実施例１】
【００２８】
図１は本発明の実施例であるハンディーモップの把手を説明するためのもので（イ）はハンディーモップにおける側面図、（ロ）は底面図、（ハ）は斜視図である。図１（イ）から（ハ）において、把手１１は、握り部１１１と、前記握り部１１１の中間部近傍下面に形成されている平面部１１２に設けられた引掛突起部１１３と、前記握り部１１１に連設された二股状部１１４が一体に形成されている。前記二股状部１１４は、長い偏平な棒状体１１５と、同じく長さの短い棒状体１１５′が互いにほぼ接する状態で設けられている。
【００２９】
前記棒状体１１５、１１５′は、薄い幅を有する断面形状が長方形からなり、少なくとも一方に所定間隔で緩やかな凸状部１１７、１１７′および幅狭部１１８、１１８′が複数、上下方向に設けられている。前記凸状部１１７、１１７′および幅狭部１１８、１１８′は、長さ方向および高さ方向の強度を増す作用がある。また、前記棒状体１１５、１１５′の先端部は、互いに対向する向きに薄い部分１１６、１１６′を備えている。前記把手１１は、たとえば、合成樹脂部材からなり、弾性を有する部材から構成されている。
【００３０】
前記握り部１１１は、モップにより狭い部分の清掃を行う際に、握り易い形状である。また、前記握り部１１１は、中間部の下部にほぼ平らな部分を有し、前記平らな部分に引掛突起部１１３が設けられている。前記引掛突起部１１３は、後述の袋体に設けられた開口部に入り、抜け難い方向に曲げられた状態で突出している。前記凸状部１１７、１１７′および幅狭部１１８、１１８′は、凹凸により、後述のモップが摩擦により抜け難いようになる。
【００３１】
図２（イ）は本発明の実施例を説明するためのものであり、モップと袋体の複数個が連続して設けられている状態を説明するための図で、（ロ）は１個の袋体の上面図、（ハ）は袋体を説明するための断面図である。モップ１２は、木綿糸、合成樹脂製糸、不織布からなる糸状体等の集合体から構成されている。前記モップ１２の材質は、前記以外に、公知の如何なるものを使用することもできる。なお、前記モップ１２は、図において、模式図であるため必ずしも正確に描かれていない。前記モップ１２は、図２に示すように、繊維が縦長に多数、所定の厚さで載置される。また、前記モップ１２は、所定の距離毎に前記把手１１を入れる袋体１３が中央をミシン目１３１により縫いつけられている。
【００３２】
図２（ロ）および（ハ）に示すように、前記袋体１３は、二枚が重ねられた状態で、中央部がミシン目でモップ１２に取り付けられている。また、前記袋体１３は、図２（ハ）に示すように、先端部で二枚を同時に折り返した第１の折り返し部１３３と、終端部（後述の把手を入れる入口部）で一枚を折り返した第２の折り返し部１３４とから構成されている。さらに、二枚ある内の一番下の袋体１３は、前記終端部において、ほぼ中央部に開口部１３５が設けられている。
【００３３】
前記袋体１３は、上部中央部にミシン目１３１により、モップ１２と一体になっている。また、前記袋体１３は、側部において、前記ミシン目１３１と平行に断続的または連続的に溶着部１３２が設けられている。前記袋体１３は、前記先端部および終端部において、第１の折り返し部１３３および第２の折り返し部１３４を含めて溶着されて、左右（図において上下）に袋が構成されている。前記モップ１２は、切断線１２１（図２参照）により所望の長さの所で、切断されている。
【００３４】
図３（イ）は本実施例において、モップに把手を挿入する状態を説明するための図、（ロ）は把手にモップが入った状態を説明するための図である。図３（イ）および（ロ）において、前記把手１１（図１参照）は、合成樹脂のような弾性体から構成されており、先端の薄肉部１１６、１１６′（図２参照）において、長さが異なるようになっており、前記袋体１３に入れ易い形状になっている。
【００３５】
前記把手１１の二股状部１１４は、長さの長い方から、一本ずつ水平方向に曲げるようにして、水平になっている前記左右の袋にそれぞれ入れられる。前記水平方向に曲げて入れられた二股状部１１４（特に、棒状体１１５、１１５′）は、その後、材質の弾性により互いに接近する方向に力が加わることにより、図３（ロ）に示すように、水平方向のモップ１２が互いに接近して、図示のように、二つに折り曲げられる。  
【００３６】
また、前記把手１１の下部平面部１１２に設けられた引掛突起部１１３は、前記袋体１３に設けられた開口部１３５に入れられる。前記開口部１３５に入った引掛突起部１１３は、狭い所を清掃する際に、前記モップ１２が外れる方向の力が加わっても、簡単に外れない。前記引掛突起部１１３は、前記モップ１２を交換する際に、前記袋体１３の開口部１３５を強い力により破いて取り外すことが容易にできる。
【００３７】
以上、本発明の実施例を詳述したが、本発明は、前記実施例に限定されるものではない。そして、本発明は、持許請求の範囲に記載された事項を逸脱することがなければ、種々の設計変更を行うことが可能である。本発明のモップおよび把手の材質形状は、任意に変えることができる。
【符号の説明】
【００３８】
１１・・・把手                        １３・・・袋体
１１１・・・握り部                    １３１・・・ミシン目
１１２・・・平面部                    １３２・・・溶着部
１１３・・・引掛突起部                １３３・・・第１の折り返し部
１１４・・・二股状部                  １３４・・・第２の折り返し部
１１５、１１５′・・・棒状体          １３５・・・開口部
１１６、１１６′・・・薄肉部
１１７、１１７′・・・凸状部
１１８、１１８′・・・幅狭部
１２・・・モップ
１２１・・・切断線
【図１】
2013063154.tif 000003
【図２】
2013063154.tif 000004
【図３】
2013063154.tif 000005